(57)【要約】      （修正有）【課題】床としての機能を有し、短時間で冷暖房効率を向上させる床冷暖房パネルを提供する。【解決手段】床としての機能を有する床冷暖房パネル本体１として、硬く熱伝導率のよい金属性の床板上部平面プレートと、流体を循環させる配管５を収納する配管溝６と保温空間部８を蛇行状に形成している下部プレート本体１０に、金属性配管どうしの接続及び接続部分における継手及び配管接続部分の段差を無くした配管を収納配置していることを特徴とする床冷暖房パネルである。【選択図】図１
2012172965.tif 000002
【特許請求の範囲】
【請求項１】
床としての機能を有する床冷暖房パネルとして、硬く熱伝導率のよい金属性の上部平面プレートと、流体を循環させる配管を収納する溝と保温空間部を蛇行状に形成している下部プレートに、金属性配管どうしの接続及び接続部分における継手及び配管接続部分の段差を無くした配管を収納配置していることを特徴とする床冷暖房パネルである。
【請求項２】
請求項１において、床冷暖房パネルはパネル本体が床としての機能を有し、パネル本体の厚みと市販の床材やコンパネの厚みを同じにしており冷暖房が必要な場所にパネル本体を敷設し、それ以外の冷暖房が不要な部分には床材やコンパネを敷設してもパネル本体との段差が生じないことを特徴とする床冷暖房パネルである。
【請求項３】
請求項１において、下部プレートに収納配置する配管は、金属性配管又は樹脂性配管が収納配置でき、金属性配管には接続部分の段差が無く、上部平面プレートと下部プレートに収納配置された配管の接地面積がパネル内で均一に接地していることを特徴とする床冷暖房パネルである。
【請求項４】
請求項１〜３のいずれか一項において、金属性配管には、配管同士の継手部分に段差無く下部プレートに収納配置するため専用の刃物にて配管のネジ山を形成することで、パネル内を配管の外径のまま接続していることを特徴とする床冷暖房パネルである。
【請求項５】
請求項１において、下部プレートには配管を収納する溝以外に保温空間部分が形成されており、下部プレートの上部には薄い金属版が下部プレートの上部に設置されており、上部平面プレートと配管を蛇行状の溝に収納した下部プレートを接合することで上下プレートに間に保温空間部を形成していることを特徴とする床冷暖房パネルである。
【請求項６】
請求項１において、下部プレートは３つの部品で構成されており、パネル同士が接続できるよう配管取入れ口が直線や曲り溝かつ、配管を蛇行させながら曲がり溝を形成している２つの部品の間に、使用場所に長さを合わせる事ができる直線状で複数の溝を形成している部品の３つで下部プレートを形成していることを特徴とする床冷暖房パネルである。
【発明の詳細な説明】
【技術分野】
【０００１】本発明は、建物の床に用いられる床冷暖房パネルに関する。
【背景技術】
【０００２】  一般に床冷暖房は、床を暖めるために床全体に流体を循環するための配管が床下に埋設されているタイプの物や、電熱線を床下に埋設されているタイプの２種類が主流である。しかし、その全ての床冷暖房システムは床材の下に埋設されており、冷暖房をするためにはまず床材を冷やしたり暖めなければならないため冷暖房効率が非常に悪いため、本考案は床冷暖房効率の高い画期的なものを提案する。
【発明の概要】
【発明が解決しようとする課題】
【０００３】  上記従来の床暖房装置は、その大半が冷房機能は無く暖房のみで、床材の下に流体を循環させる配管を埋設するためのプレートに、配管を埋設するための溝が形成され配管が埋設されている。そしてプレートの上部に床材が敷設されているため、円筒の配管と床材の接地面は数ｍｍ程度しかないためなかなか暖まらない問題があり、さらに金属性の配管であれば放熱量が多いため樹脂配管より床材を暖める時間は早いが、それでも床暖房システムを起動しても、床全体が暖まるまでには相当な時間を有するため、朝、システムを起動しても出勤や通学時間までに暖まらないため、別の暖房器具を使用している。【０００４】  プレート内部に埋設する配管の多くは熱効率が高い銅管を使用することが多いが設備費用が高い問題がある。さらに金属配管を使用している場合でも管と管を繋ぐ継手を使用すると配管の外径と継手の外径が違うため段差ができてしまう問題がある。【０００５】  さらに暖房時間が長くなれば燃料消費量が多く必要となり燃料代や電気代が高く家計の負担を増やし、さらにボイラーの使用時間が長くなるため二酸化炭素の排出量が増えることで地球温暖化にも拍車をかける問題もある。【０００６】  本発明は、上記従来の技術に存する問題点を解消して、床冷暖房効率を向上することができる床冷暖房パネルを提供することにある。
【課題を解決するための手段】
【０００７】  上記問題点を解決するために、請求項１に記載の発明は、床としての機能を有する床冷暖房パネルとして、硬く熱伝導率のよい金属性の上部平面プレートと、流体を循環させる配管を収納する溝と保温空間部を蛇行状に形成している下部プレートに、金属配管同士の接続及び接続部分における継手及び配管接続部分の段差を無くした配管を収納配置していることを要旨とする。【０００８】  請求項２に記載の発明は、床冷暖房パネルはパネル本体が床としての機能を有し、パネル本体の厚みと市販の床材やコンパネの厚みを同じにしており冷暖房が必要な場所にパネル本体を敷設し、それ以外の冷暖房が不要な部分には床材やコンパネを敷設してもパネル本体との段差が生じないことを要旨とする。【０００９】  請求項３に記載の発明は、下部プレートに収納配置する配管は、金属性配管又は樹脂性配管が収納配置でき、金属性配管には接続部分の段差が無く、上部平面プレートと下部プレートに収納配置された配管の接地面積がパネル内で均一に接地していることを要旨とする。【００１０】  請求項４に記載の発明は、金属性配管には、配管同士の継手部分に段差無く下部プレートに収納配置するため専用の刃物にて配管のネジ山を形成することで、パネル内を配管の外径のまま接続していることを要旨とする。【００１１】  請求項５に記載の発明は、下部プレートには配管を収納する溝以外に保温空間部分が形成されており、下部プレートの上部には薄い金属版が下部プレートの上部に設置されており、上部平面プレートと配管を蛇行状の溝に収納した下部プレートを接合することで上下プレートに間に保温空間部を形成していることを要旨とする。【００１２】  請求項６に記載の発明は、下部プレートは３つの部品で構成されており、パネル同士が接続できるよう配管取入れ口が直線や曲り溝かつ配管を蛇行させ曲がり溝を形成している２つの部品の間に、使用場所に長さを合わせる事ができる直線状で複数の溝を形成している部品の３つで下部プレートを形成していること要旨とする。
【発明の効果】
【００１３】  本発明によれば、金属性の上部平面プレートを床面としての機能を有することで床材が不要になり余分な部材を冷やしたり暖めなくて済み、下部プレートに配管を収納配置する溝以外に保温空間部を有することで、配管からの輻射熱で保温空間部を暖め上部平面プレートにその熱を伝導することで、配管と上部平面プレートの接地面積が少なくても上部平面プレートが暖まる構造であり、段差を無くした接続配管を収納配置することで安価な金属性配管を使用することで熱効率を向上させ、短時間で床を効率よく暖房しさらに省エネを実現することができる。
【図面の簡単な説明】
【００１４】
【図１】この発明の床冷暖房パネルの実施形態を示す一部省略平面図。
【図２】図１に示す床冷暖房パネルの一部省略断面図。
【図３】図１に示す床冷暖房パネルの一部省略配管横断面図。
【図４】パネル接続継手配管本体の断面図。
【図５】パネル接続継手配管の雌部品の断面図。
【図６】パネル接続継手配管の雄部品の断面図。
【発明を実施するための形態】
【００１５】  以下、本発明を具体化した床冷暖房パネルの実施形態を図面に従って説明する。
図１はこの実施形態の床冷暖房パネル本体１全体を示す床板上部平面プレートを省略した平面図である。
【００１６】  図１に示すように床冷暖房パネル本体１は、下部プレート曲り溝部２の間に下部プレート直線溝部３を接合することによって３つの下部プレートにて構成され、下部プレート本体１０としている。さらに下部プレート直線溝部３の長さを数種類に変えた下部プレート直線溝部３を作成することで設置場所に応じた長さに組み合わせることができる。
【００１７】  前記下部プレート曲り溝部２には配管を収納配置するための配管溝６が形成されている。そして下部プレート直線溝部３にも同様に配管を収納配置するための配管溝６が形成されており、それぞれ下部プレート曲り溝部２と下部プレート直線溝部３さらに下部プレート曲り溝部２を接合することで図１に示すように配管溝６が蛇行状に形成され、床冷暖房パネル本体１同士が縦や横に連続して接続される構造となっている
【００１８】  前記下部プレート曲り溝部２の接続口２ａ配管溝６を、曲り形状とは別に直線型に変えた下部プレート曲り溝部２を形成すれば床冷暖房パネル本体１どうしが連続して縦列にも接続できる。
【００１９】  次に、前記下部プレートには配管溝６と配管溝６の間に、下部プレート頭頂部３ｂが平らに形成されており、下部プレート頭頂部３ｂと床板上部プレート４が接地することで、上部からの圧力をこの下部プレート頭頂部３ｂで受ける構造となっている。
【００２０】  前記下部プレート頭頂部３ｂには、床板上部プレート４と下部プレート曲り溝部２や下部プレート直線溝部３とを固定するための固定穴４ａが形成されており固定ネジ４ｂで固定されている。
【００２１】  図２に示すように下部プレート本体１０には配管を収納配置するための配管溝６が形成されており、配管溝６は配管６の外径より数ｍｍ大きく形成されている。そして配管溝６は配管がずれない程度で、配管５の下半円が収まる部分までが配管溝６としている。
【００２２】  前記下部プレート本体１０の配管溝６は配管５の下半円分であるが、配管５の上半分は保温空間部８を形成するため、配管溝６の半円部分より下部プレート頭頂部３ｂに向け上部側へ斜めに形成されている。これにより頭頂部３ｂ間には間ができるが配管５を収納配置することで配管が上部からの圧力を受止める構造となっている。
【００２３】  前記下部プレート本体１０において配管５の外径より数ｍｍ大きくした配管溝６には、下部プレート本体１０に全体に保温シート７が敷設され為であり、保温シート７が敷設されることで配管溝６と配管５の隙間が埋り、配管がずれることなく固定される。
【００２４】  前記下部プレート本体１０に収納配置された配管５と床板上部プレート４の接地面は極わずかな線程であるため、熱が床板上部プレート４になかなか伝わらないため、下部プレート本体１０に保温空間部８を形成することで、床板上部プレート４と下部プレート１０が接合されることにより、保温空間部８は外気にさらされる事が無くなり配管溝６より露出した配管５の上部半円の輻射熱で空間が暖まる構造で、さらに保温シート７により下部にある下部プレート本体１０へ熱を逃がさないため、保温空間部８全体が暖まり床板上部プレート４を暖める構造となっている。
【００２５】  前記下部プレート本体１０の下部プレート頭頂部３ｂの下部には、下部プレート空間部３ａが形成されており、この空間部分は上部からの衝撃や圧力を受止めるために下部プレート空間部３ａと空間部３ａの間に柱９が設置されている。
【００２６】  図２に示すように、床冷暖房パネル本体１において床板上部プレート４は下部プレート本体１０より両端が長く形成されており、床暖房パネル本体１同士を接続するときにパネル間に接続板１１を配置し、接続板１１にある固定穴１１ａと床板上部プレート４の固定穴４ａをあわせ固定ネジ４ｂで固定することで床冷暖房パネル本体１同士を接続してもずれないように固定できる。
【００２７】  図３に示すように下部プレート本体１０に収納配置する配管５は、プレート内で配管同士を接続するにあたり、従来接続で生じる段差を無くした接続方法で配管を接続しており、配管５に直接、テーパー状の雄ネジ５ａを形成し、さらに同じく配管５に直接、テーパー状の雌ネジ５ｂを形成し接続している。そのため従来、配管の接続には専用の継手が必要であったが、直接配管にネジ山を形成することで段差無く、配管５同士を接続している。
【００２８】  図４及び図５に示すように配管接続継手本体１２は床冷暖房パネル本体１同士を接続する場合、内部の配管５から接続される別の床冷暖房パネル本体１内部の配管５に接続するための接続部材であり、３つの部品から構成されており、配管５の外径及び内径と同じ寸法で構成され流体の流れを阻害しないため、雌ネジ継手１３の外径は配管５の外径と同寸法とし、雌ネジ継手１３にはテーパー状の雌ネジ５ｂを形成し、内径を途中まで数ｍｍ拡大し、段差１３ａを形成している。
【００２９】  図４及び図６に示すように前記、内径を拡大した雌ネジ継手１３には、図４に示すように雄ネジ継手１４を中に入れるため、図６に示すように、配管５の内径と雄ネジ継手１４の内径は同径状とし、雄ネジ継手１４の外径を小さくし鋭角段差１４ａを形成することで雌ネジ継手１３にある段差１３ａに食込み接地する。この接地する部分に薄手のパッキン１４ｃを雄ネジ継手１４にはめ込みさらに、平行ネジ１４ｂに締付けられることで雄ネジ継手１４が段差１３ａに食込むことで水漏れ防止をしている。そして、雄ネジ継手１４には２種類のネジ山が形成されており、床冷暖房パネル本体１に接続する部分にはテーパー状の雄ネジ５ａが形成されており、雄ネジ５ａのテーパー部より段差１４ａの途中まで平行ネジ１４ｂが形成されており、図４に示すように雌ネジ継手１３内部に雄ネジ継手１４を入れそれぞれ段差が重なる部分で、雄ネジ継手１４の平行ネジ１４ｂに締付けナット１５により締付けることで配管接続継手本体１２となる。
【実施例】
【００３０】  以上のようにして配管内部を加熱流体が流れることで床冷暖房パネルが暖まり、暖房される。
上記実施形態の床冷暖房パネルによれば、以下のような特徴を得ることができる。【００３１】（１）前記実施形態では、配管溝６には配管どうしの接続段差が無くなった金属性の配管５が収納配置されることで、床板上部プレート４と配管５は必ず接地するため配管５内の加熱流体の熱は確実に伝わる。また、保温空間部８を設けていることで空間内には配管の輻射熱を利用し空間を暖めることができる。それにより配管５と床板上部プレート４の少ない接地面を、保温空間部８全体で暖めるため金属性の床板上部プレート４に効率的に床冷暖房パネル本体１全体を暖房することができる。【００３２】（２）前記実施形態では熱交換率が高い金属性の配管５の接続段差を無くすためには専用のネジ切りでネジ山を形成することで余分な継手部品をなくし、さらに段差も無くせることができる。【００３３】なお、本実施形態は以下のように変更してもよい。
○  熱交換率が悪い樹脂性の配管を使用しても、保温空間部８内は暖まるため金属性の配管同様、床冷暖房パネル本体１全体を暖めるため、樹脂性配管を使用してもよい。
【符号の説明】
【００３４】      １…床冷暖房パネル本体１、２…下部プレート曲り溝部、２ａ…接続口、３…下部プレート直線溝部、３ａ…下部プレート空間部、３ｂ…下部プレート頭頂部、４…床板上部プレート、４ａ…固定穴、４ｂ…固定ネジ、５…配管、５ａ…雄ネジ、５ｂ…雌ネジ、６…配管溝、７…保温プレート、８…保温空間部、９…柱、１０…下部プレート本体、１１…接続板、１１ａ…固定穴、１２…配管接続継手本体、１３…雌ネジ継手、１３ａ…段差、１４…雄ネジ継手、１４ａ…段差、１４ｂ…平行ネジ、１４ｃ…パッキン１５…締付けナット
【図１】
2012172965.tif 000003
【図２】
2012172965.tif 000004
【図３】
2012172965.tif 000005
【図４】
2012172965.tif 000006
【図５】
2012172965.tif 000007
【図６】
2012172965.tif 000008